(57)【要約】【課題】  優れた防虫効果および消臭効果を使用初期から長期間にわたって持続的に発揮し、人体および環境に対して悪影響を及ぼさず、使用終了後の廃棄または再利用が容易であり、特殊な装置を使用せず安価に製造できる防虫消臭性包装体を提供する。【解決手段】  ゼオライト、活性炭、シリカゲルなどの多孔質無機材料にピレスロイド系化合物などの防虫性化合物を担持させる。一方、空気透過度が０．５〜３００ｃｃ／ｃｍ2・ｓｅｃ（ＪＩＳ  Ｌ  １０９６  Ａ法）である布帛を用いて袋体を作成し、その袋体に、防虫性化合物を担持させた多孔質無機材料を充填し、得られる包装体を、腐敗性有機物を含む産業廃棄物、生ゴミなどの処理場、外食産業の厨房、家庭などにおいて、特にハエなどの飛翔性害虫を防除するのに用いる。【選択図】      なし【特許請求の範囲】
【請求項１】
空気透過度が０．５〜３００ｃｃ／ｃｍ2・ｓｅｃ（ＪＩＳ  Ｌ  １０９６  Ａ法）である布帛からなる袋体の内部に、防虫性化合物を担持させた多孔質無機材料を含む防虫性消臭剤を収納してなることを特徴とする防虫消臭性包装体。
【請求項２】
多孔質無機材料１００重量部に対して、防虫性化合物１〜１０００重量部を担持させたことを特徴とする請求項１記載の防虫消臭性包装体。
【請求項３】
防虫性消臭剤が、防虫性化合物を担持させない多孔質無機材料を含むことを特徴とする請求項１または２記載の防虫消臭性包装体。
【請求項４】
多孔質無機材料がゼオライト、シリカゲルおよび活性炭から選ばれる１種または２種以上であることを特徴とする請求項１〜３のいずれか１つに記載の防虫消臭性包装体。
【請求項５】
多孔質無機材料が、石炭灰と、アルカリ金属水酸化物およびアルカリ土類金属水酸化物から選ばれる水酸化物とを水熱合成して得られる人工ゼオライトであることを特徴とする請求項１〜３のいずれか１つに記載の防虫消臭性包装体。
【請求項６】
防虫性化合物が、ピレスロイド系化合物であることを特徴とする請求項１〜５のうちのいずれか１つに記載の防虫消臭性包装体。
【請求項７】
布帛が、天然高分子化合物および／または合成高分子化合物からなる繊維を含む不織布、織物または編物であることを特徴とする請求項１〜６のうちのいずれか１つに記載の防虫消臭性包装体。
【請求項８】
布帛が、天然生分解性高分子化合物および／または合成生分解性高分子化合物からなる繊維を含む不織布、織物または編物であることを特徴とする請求項１〜６のうちのいずれか１つに記載の防虫消臭性包装体。
【発明の詳細な説明】
【技術分野】
【０００１】
本発明は、防虫消臭性包装体に関する。
【背景技術】
【０００２】
畜産業、農業、水産業、食品製造業、食品加工業、外食産業などにおいて大量に発生する産業廃棄物および家庭から発生する生ゴミは、その大部分が不良品、食用動植物の食品への加工後の不要部分、残飯などの腐敗性有機物であることから、害虫、微生物などの繁殖により、悪臭が発生し易い。特に、ハエ、蚊などの飛翔性害虫は、腐敗性有機物中に卵を産み付け、大量に繁殖するので、悪臭の主因になる。
【０００３】
従来、このような産業廃棄物および生ゴミは、主に、焼却により処理されるけれども、その量が極めて多いため、実際に焼却されるまでには長時間保存されることが多い。保存中には前記のように悪臭が発生するので、保管容器に除臭フィルタを取り付けたり、薬品の投入または通電による加温により分解したり、多量の防虫剤を投入することなどが行われる。しかしながら、最近になって環境保全および省エネルギーの観点からリサイクル意識が高まるとともに、腐敗性有機物を含む産業廃棄物および生ゴミの処理が見直され、たとえば、コンポストなどを利用して２、３週間程度以上の比較的長い期間発酵させ、堆肥などにリサイクルすることが行われる。コンポストは安価な生ゴミ処理法であるけれども、発酵の過程で害虫および悪臭が発生するおそれがある。
【０００４】
また、ピレスロイド系化合物などの、従来から汎用される防虫剤は、飛翔性害虫、ゴキブリ、衣料害虫などの害虫に対して非常に有用である。しかしながら、ピレスロイド系化合物は蒸散性が高いため、その効果を長期間にわたって持続させることが困難であるという欠点を有する。コンポストによるリサイクルにおいても、比較的長い発酵期間中に防虫剤の効果が持続することが要求される。このような課題に鑑み、ピレスロイド系化合物など防虫剤の効果を、長期間にわたって持続させるための形態が、種々提案される。
【０００５】
たとえば、通気性シート、防虫成分の浸透移行を防止するバリア層および防虫成分を保持・蒸散させる蒸散層をこの順番で積層し、得られる複合シートを、通気性シートが内側になるように重ね合せ、周縁部を接着してなる袋体に、発熱粉末（化学発熱組成物）を収納した防虫性袋体が提案されている（たとえば、特許文献１参照）。該防虫性袋体は、その内部に収納される発熱粉末の発熱により、蒸散層に保持されるピレスロイド系化合物などの防虫剤を蒸散させるものである。すなわち、該防虫性袋体は、加熱により強制的に防虫剤を蒸散させるものであるから、その効力は長くても１日程度しか持続せず、コンポストなどにおいて用いるのには適しない。
【０００６】
また、紙、不織布、織布などの通気性素材により構成される通気層と、熱可塑性樹脂製フィルム層とを積層した包材であって、アルコール透過度が１０〜３００ｃｃ／ｍ2・２４ｈｒであり、ＪＩＳ  Ｌ１０９２  Ａ法に基づく耐水性が１００ｍｍＨ2Ｏ以上である包材が提案されている（たとえば、特許文献２参照）。この包材を用いれば、熱可塑性樹脂製フィルム層を内側にして、通気層を表面に露出させた袋体を作成し、その中に蒸散性防虫性化合物を収納して防虫性袋体を得ることは容易である。この包材は、防虫性化合物の過剰な蒸散により、周辺物の変色・変質を防止するために、そのアルコール透過度を規定したものであり、防虫効果の長期的な持続性を有する。しかしながら、この包材によれば、防虫性化合物が非常に低い低濃度で蒸散するため、防虫性化合物に対して抵抗性の弱い、イガなどの衣料害虫に対しては有効であるけれども、飛翔性害虫、ゴキブリなどに対しては充分な防虫効果を示さないという欠点がある。また、使用初期において、その蒸散濃度が低いことから、防虫効果が不充分になるという欠点もある。
【０００７】
また、活性炭、シリカゲル、活性アルミナ、ゼオライトおよびセラミックスから選ばれる１種または２種以上の多孔質無機材料（消臭剤）および蒸散性防虫性化合物であるピレスロイド系化合物を、紙、布、不織布、樹脂フィルムなどのシート状基材に担持させた防虫消臭シートが提案されている（たとえば、特許文献３参照）。この防虫消臭シートは、多孔質無機材料にピレスロイド系化合物を担持させるのではなく、多孔質無機材料およびピレスロイド系化合物をそれぞれ別個に異なるシード状基材に担持させるかまたは１つのシート状基材に一緒に担持させたものである。しかしながら、この防虫消臭シートは、そのシート形状を維持するために、担持させる多孔質無機材料およびピレスロイド系化合物の種類および量に制限がある。また、これらの成分を紙、布、不織布などに担持させる場合、防虫効果の長期的な持続性が不充分になり易い。さらに、樹脂フィルムにこれらの成分を練り込む場合、蒸散量が少なくなって、防虫効果が不充分になり易い。
【０００８】
【特許文献１】特開２００１−４８７０７号公報
【特許文献２】特開２００４−１７５３７１号公報
【特許文献３】特開平１１−３３２４４９号公報
【発明の開示】
【発明が解決しようとする課題】
【０００９】
本発明の目的は、優れた防虫効果および消臭効果を使用初期から長期間にわたって持続的かつ安定的に発揮し、人体および環境に対して悪影響を及ぼさず、使用後の廃棄処理または再利用が容易であり、特殊な装置を使用せず安価に製造できる防虫消臭性包装体を提供することである。
【課題を解決するための手段】
【００１０】
本発明は、空気透過度が０．５〜３００ｃｃ／ｃｍ2・ｓｅｃ（ＪＩＳ  Ｌ  １０９６  Ａ法）（０．５ｃｃ／ｃｍ2・ｓｅｃ以上、３００ｃｃ／ｃｍ2・ｓｅｃ以下）である布帛からなる袋体の内部に、防虫性化合物を担持させた多孔質無機材料を含む防虫性消臭剤を収納してなることを特徴とする防虫消臭性包装体である。
【００１１】
本発明の防虫消臭性包装体は、多孔質無機材料１００重量部に対して、防虫性化合物１〜１０００重量部（１重量部以上、１０００重量部以下）を担持させたことを特徴とする。
【００１２】
本発明の防虫消臭性包装体は、防虫性消臭剤が、さらに、防虫性化合物を担持させない多孔質無機材料を含むことを特徴とする。
【００１３】
また本発明の防虫消臭性包装体は、多孔質無機材料がゼオライト、シリカゲルおよび活性炭から選ばれる１種または２種以上であることを特徴とする。
【００１４】
さらに本発明の防虫消臭性包装体は、多孔質無機材料が、石炭灰と、アルカリ金属水酸化物およびアルカリ土類金属水酸化物から選ばれる水酸化物とを水熱合成して得られる人工ゼオライトであることを特徴とする。
【００１５】
さらに本発明の防虫消臭性包装体は、防虫性化合物が、ピレスロイド系化合物であることを特徴とする。
【００１６】
さらに本発明の防虫消臭性包装体は、布帛が、天然高分子化合物および／または合成高分子化合物からなる繊維を含む不織布、織物または編物であることを特徴とする。
【００１７】
さらに本発明の防虫消臭性包装体は、布帛が、天然生分解性高分子化合物および／または合成生分解性高分子化合物からなる繊維を含む不織布、織物または編物であることを特徴とする。
【発明の効果】
【００１８】
本発明によれば、ＪＩＳ  Ｌ  １０９６  Ａ法による空気透過度が０．５〜３００ｃｃ／ｃｍ2・ｓｅｃである布帛を用いて袋体を作成し、この袋体に、防虫性化合物を担持させた多孔質無機材料を含む防虫性消臭剤を収納してなる防虫消臭性包装体が提供される。
【００１９】
本発明の防虫消臭性包装体は、優れた防虫効果および消臭効果を使用初期から長期間にわたって持続的かつ安定的に発揮する。また、該防虫消臭性包装体では、防虫性消臭剤が上記特定の空気透過度を有する布帛からなる袋体に収納されるので、直接人体に触れることがなく、袋体から漏れ出すこともないので、人体および環境に対して悪影響を及ぼすことがない。さらに、該防虫消臭性包装体は、特別な手法を必要とすることなく、従来から慣用化されている手法により安価に製造できる。
【００２０】
また、本発明の防虫消臭性包装体は、多孔質無機材料に防虫性化合物を担持させた防虫性消臭剤を収納する袋体として、特定の空気透過性を有する不織布、編織物などの布帛からなる袋体を使用するので、従来のシート型防虫消臭剤に比し、担持させる防虫性化合物の種類および担持量に制限がなく、用途に応じて任意に効果を設定でき、効果の持続期間をも適宜調整することができる。
【００２１】
また、本発明の防虫消臭性包装体を、たとえば、コンポストを利用した発酵によるリサイクルに用いる場合は、これを産業廃棄物、生ゴミなどに混入させるかまたはその近傍に設置すればよく、発酵により生成する堆肥中から、篩い分けなどにより容易に回収除去できる。さらに、外食産業、家庭などで用いる場合には、たとえば、両面テープなどを用いて、適切な場所に簡単に設置できる。
【００２２】
さらに本発明の防虫消臭性包装体は、防虫性消臭剤中に含まれる防虫性化合物が徐々に空気中に放出され、使用後においては防虫性化合物がほとんど残存しないので、使用後の安全性が高く、廃棄処理または再利用が容易である。たとえば、多孔質無機材料としてゼオライトを用いる場合には、ゼオライトの植物に対する成長助長効果が損なわれないで残っているので、防虫および消臭に使用した後は、そのまま植物生育用土壌として再利用できる。
【００２３】
また本発明によれば、本発明の防虫消臭性包装体において、多孔質無機材料１００重量部に対して防虫性化合物１〜１０００重量部を担持させることによって、その優れた防虫効果および消臭効果を一層効率良く発揮させ得る。
【００２４】
また本発明によれば、防虫性化合物を担持させた多孔質無機材料とともに、防虫性化合物を担持させない多孔質無機材料を、上記特定の空気透過度を有する布帛からなる袋体に収納することによって、得られる防虫消臭性包装体の消臭効果が向上する。
【００２５】
また本発明によれば、一般に多孔質無機材料であれば消臭効果を有しているが、多孔質無機材料として、特にゼオライト、シリカゲルおよび活性炭から選ばれる１種または２種以上を用いることによって、本発明の防虫消臭性包装体の消臭効果が一層高まるとともに、防虫性能の持続性も向上する。
【００２６】
また本発明によれば、多孔質無機材料として、（イ）石炭灰と、（ロ）アルカリ金属水酸化物およびアルカリ土類金属水酸化物から選ばれる水酸化物とを水熱合成して得られる人工ゼオライトを用いることによって、次のような利点が得られる。一般的な多孔質無機材料はアンモニアガスなどの悪臭ガスだけでなく、防虫性化合物が気化したガスをも吸着する特性を有するのに対し、該人工ゼオライトは防虫性化合物ガスは吸着せず、悪臭ガスのみを選択的に吸着する分子ふるい機能を有する。したがって、該人工ゼオライトを用いることによって、防虫性化合物の気化などによる防虫効果の発現が阻害されず、防虫性能およびその持続性が保持される。
【００２７】
また本発明によれば、防虫性化合物として、ピレスロイド系化合物を用いることによって、多孔質無機材料が本来有する特性、たとえば消臭効果を損なうことなく、防虫効果を一層向上させ得るので、さらに優れた防虫効果および消臭効果を使用初期から長期間にわたって発揮させることができる。すなわち、従来から使用される防虫性化合物は、ピレスロイド系化合物をも含めて接触毒によって作用し、かつ本発明では防虫性消臭剤が袋体に収納されるにもかかわらず、ピレスロイド系化合物を用いると、特に優れた防虫効果が発揮される。また、ピレスロイド系化合物は、多孔質無機材料の有する消臭効果を阻害することがなく、人畜に対する毒性が低く、自然界に曝露されると分解し易いという特性を有する。
【００２８】
また本発明によれば、布帛として、天然高分子化合物および／または合成高分子化合物からなる繊維を含む不織布、織物または編物を用いることによって、袋体の耐久性が向上し、多孔質無機材料に防虫性化合物を担持させた防虫性消臭剤を長期にわたって保持し、防虫性消臭剤の袋体外部への飛散などを防止できる。このため、毒性が比較的に高い防虫性化合物を用いても、人畜に対して非常に安全な防虫消臭性包装体を得ることができる。また、布帛の空気透過度を所望の範囲に調整するのが容易である。
【００２９】
また本発明によれば、布帛として、天然および／または合成の生分解型高分子化合物からなる繊維を含む不織布、織物または編物を用いることによって、たとえば、コンポストによる堆肥の製造の際に本発明の防虫消臭性包装体を添加し、悪臭および害虫の発生を防止し、発酵が終了した時点で、該包装体は経時的に分解されるので、得られる堆肥を、該包装体を分離除去することなく、そのまま利用することができる。
【発明を実施するための最良の形態】
【００３０】
本発明の防虫消臭性包装体は、ＪＩＳ  Ｌ  １０９６  Ａ法による空気透過度が０．５〜３００ｃｃ／ｃｍ2・ｓｅｃ、好ましくは５〜１００ｃｃ／ｃｍ2・ｓｅｃである布帛からなる袋体に、防虫性化合物を消臭性の多孔質無機材料に担持させた防虫性消臭剤を収納したものである。
【００３１】
ここで、布帛の空気透過度が０．５ｃｃ／ｃｍ2・ｓｅｃ未満では、効果の長期的な持続性は増すものの、充分な防虫効果および消臭効果が発揮されない場合がある。また、布帛の空気透過度が３００ｃｃ／ｃｍ2・ｓｅｃを超えると、効果の長期的な持続性が不充分になり、たとえば、コンポストによる発酵などの、少なくとも数週間を要する処理の使用に適さなくなる。
【００３２】
なお、多孔質無機材料は幅広い粒度分布を有し、粒度が小さいと、袋体を構成する布帛の空気透過度によっては、袋体の繊維間を通過して外部に飛散することがある。これを防止するために、粒度を大きくすると、消臭効果が低下することがある。したがって、得られる防虫消臭性袋体の用途、およびその用途に適する多孔質無機材料の粒度に応じて、多孔質無機材料の外部への飛散、消臭効果の低下などがないように、布帛の空気透過度を上記規定範囲の中から適宜選択することが必要である。
【００３３】
本発明において、布帛としては、前述の特定範囲の空気透過度を有するものであれば特に制限されず、従来からこの分野で常用されるものを使用できる。その中でも、布帛の形態による分類において、不織布、織物、編物などが好ましい。不織布としては、たとえば、ニードルパンチ、サーマルボンド、ケミカルボンド、ステッチボンドなどの乾式法、パルプなどの湿式法、スパンボンド法、メルトブローン法、スパンレース法などによって製造される不織布などが挙げられる。織物としては、たとえば、平織、綾織、朱子織、もじり織、ジャカード織、重ね織などが挙げられる。編物としては、たとえば、天竺編み、フライス編み、スムース編み、鹿の子編み、ツーウェー編み、ハーフ編み、サテン編みなどが挙げられる。
【００３４】
布帛を構成する繊維（または糸）とは、天然高分子化合物および／または合成高分子化合物を含む繊維であり、その具体例としては、たとえば、合成繊維、天然繊維、再生繊維、半合成繊維などが挙げられる。これらの繊維は、この分野で常用されるものを使用できる。合成繊維としては、たとえば、ポリエステル繊維、脂肪族ポリエステル繊維、セルロース繊維、ナイロン繊維、ポリウレタン繊維、アクリル繊維、ポリ乳酸繊維、３−ヒドロキシ酪酸部分を分子中に含有するポリマーからなる繊維などが挙げられる。天然繊維としては、たとえば、木綿、羊毛、麻などが挙げられる。再生繊維としては、たとえば、レーヨン、キュプラなどが挙げられる。半合成繊維としては、たとえば、アセテート、トリアセテート、プロミックスなどが挙げられる。これらの繊維は１種を単独で使用できまたは２種以上を併用できる。これらの中でも、耐久性、使用後の処理の簡易さなどを考慮すると、合成繊維が好ましく、脂肪族ポリエステル繊維、セルロース繊維、ポリ乳酸繊維、３−ヒドロキシ酪酸部分を分子中に含有するポリマーなどの天然または合成の生分解性合成樹脂からなる生分解性繊維がさらに好ましい。なお、本発明の布帛は、異なる材質および／または異なる繊維径を有する２種以上の繊維を含んでいても良い。
【００３５】
本発明において使用する特定の空気透過度を有する布帛は、その形態、布帛を構成する繊維の種類および繊維径、目付け量などを適宜選択することによって、容易に製造できる。
【００３６】
上記布帛を用いて袋体を作成するに際しては、従来から知られる一般的な方法が採用できる。たとえば、適切な寸法に裁断される布帛を２つ折りにして重ね合わせ、重ね合わせた布帛の周縁部を熱融着、接着剤を用いる方法などにより接着すればよい。袋体の寸法は特に制限されず、得ようとする防虫消臭性包装体の用途などに応じて適宜選択すれば良い。また袋体の形状も特に制限されず、たとえば、正方体状、直方体状、球状、楕円状などの種々の形状に成形できる。
【００３７】
袋体に収納する防虫性消臭剤は、防虫性化合物を消臭性の多孔質無機材料に担持させたものである。
【００３８】
ここで、防虫性化合物としては、この分野で常用される、防虫性および／または殺虫性を有する化合物を使用でき、たとえば、有機リン系化合物、カーバメート系化合物、ピレスロイド系化合物、ニトロ系化合物、ベンゾイルウレア系化合物、ネライストキシン誘導体、ヒドラジン系化合物、ヘテロ環系化合物、フェニル系化合物、シラン系化合物、幼若ホルモン系化合物、有機塩素系化合物、有機金属系化合物、アニリド系化合物、抗生物質などが挙げられる。
【００３９】
有機リン系化合物の具体例を一般名で示せば、たとえば、プロフェノホス、ジクロルボス、フェナミホス、フェニトロチオン、ＥＰＮ、ダイアジノン、クロルピリホスメチル、アセフェート、プロチオホス、ホスチアゼート、イソキサチオン、イソフェンホス、エチオン、ジスルホトン、エトリムホス、キナルホス、クロルピリホス、ジメチルビンホス、ジメトエート）、スルプロホス、チオメトン、パミドチオン、ピラクロホス、ピリダフェンチオン、ピリミホスメチル、プロパホス、ホサロン、ホルモチオン、マラチオン、テトラクロルピンホス、クロルフェンビスホス、シアノホス、トリクロルホン、メチダチオン、フェントエート、イプロベンホス、エジフェンホスなどが挙げられる。有機リン系化合物は１種を単独で使用できまたは２種以上を併用できる。
【００４０】
カーバメート系化合物の具体例を一般名で示せば、たとえば、カルバリル、プロポキスル、アルジカルブ、カルボフラン、チオジカルブ、メソミル、オキサミル、エチオフェンカルブ、フェノブカルブ、ベンダイオカルブ、ベンフラカルブ、カルボスルファン、フラチオカルブ、イソプロカルブ、メトルカルブ、キリシリカルブ、ＸＭＣなどが挙げられる。カーバメート系化合物は１種を単独で使用できまたは２種以上を併用できる。
【００４１】
ピレスロイド系化合物の具体例を一般名で示せば、たとえば、ピレトリン、アレスリン（ピナミン）、フタルスリン、フェノトリン、フェンバレレート、ペルメトリン、シペルメトリン、デルタメトリン、シハロトリン、テフルトリン、エトフェンブロックス、シフルトリン、フェンプロパトリン、フルシトリネート、フルバリネート、シクロプロトリン）などが挙げられる。ピレスロイド系化合物は１種を単独で使用できまたは２種以上を併用できる。
【００４２】
ニトロ系化合物の具体例としては、たとえば、イミダクロプリド（一般名）、１−〔Ｎ−（６−クロロ−３−ピリジルメチル）−Ｎ−エチルアミノ〕−１−メチルアミノ−２，ニトロエチレン（欧州特許公開第３０２３８９号）、１−（６−クロロ−３−ピリジルメチル）−２−（１−ニトロ−２−アリルチオエチリデン）イミダゾリジン（欧州特許公開第４３７７８４号）、１−（６−クロロ−３−ピリジルメチル）−３−メチル−２−ニトログアニジン、１−（６−クロロ−３−ピリジルメチル）−３，３−ジメチル−２−ニトログアニジン（いずれも欧州特許公開第３７５９０７号）などが挙げられる。ニトロ系化合物は１種を単独で使用できまたは２種以上を併用できる。
【００４３】
ベンゾイルウレア系化合物の具体例を一般名で示せば、ジフルベンズロン、クロルフルアズロン、テフルベンズロン、トリフルムロン、フルフェノクスロンなどが挙げられる。ベンゾイルウレア系化合物は１種を単独で使用できまたは２種以上を併用できる。
【００４４】
尿素化合物の具体例としては、たとえば、１−（２−フルオロ−４−（２−クロロ−１，１，２−トルフルオロエチルチオ）フェニル）−３−（２，６−ジフルオロベンゾイル）尿素などが挙げられる。尿素化合物は１種を単独で使用できまたは２種以上を併用できる。
【００４５】
ネライストキシン誘導体の具体例を一般名で示せば、たとえば、カルタップ、チオシクラム、ベンスルタップなどが挙げられる。ネライストキシン誘導体は１種を単独で使用できまたは２種以上を併用できる。
【００４６】
ヒドラジン系化合物の具体例としては、たとえば、Ｎ’−ｔ−ブチル−Ｎ’−３’，５’−ジメチルベンゾイル−Ｎ−４−エチルフェニルカルボヒドラジド（ヨーロッパ公開Ｎｏ．２３６６１８）、Ｎ’−ｔ−ブチル−Ｎ’−３，５−ジメチルベンゾイル−Ｎ−ベンゾ〔ｂ〕チオフェン−２−カルボヒドラジド（ヨーロッパ公開Ｎｏ．４８３６４７）、Ｎ’−ｔ−ブチル−Ｎ’−３，５−ジメチルベンゾイル−Ｎ−４，５，６，７−テトラヒドロベンゾ〔ｂ〕チオフェン−２−カルボヒドラジド（ヨーロッパ公開Ｎｏ．４８３６４７）、Ｎ’−ｔ−ブチル−Ｎ’−３，５−ジメチルベンゾイル−Ｎ−５，６−ジヒドロ−４Ｈ−シクロペンタ〔ｂ〕チオフェン−２−カルボヒドラジド（ヨーロッパ公開Ｎｏ．４８３６４７）などが挙げられる。ヒドラジン系化合物は１種を単独で使用できまたは２種以上を併用できる。
【００４７】
ヘテロ環系化合物の具体例を一般名で示せば、たとえば、ブプロフェジン、ヘキシチアゾクス、ピリダベン、フェンピロキシメート、イソプロチオラン、トリシクラゾール、ピロキロン、ジクロメジン、プロベナゾール、フェリムゾンなどが挙げられる。ヘテロ環系化合物は１種を単独で使用できまたは２種以上を併用できる。
【００４８】
フェニル系化合物の具体例を一般名で示せば、たとえば、アミトラズ、クロルジメホルムなどが挙げられる。フェニル系化合物は１種を単独で使用できまたは２種以上を併用できる。
【００４９】
シラン系化合物の具体例を一般名で示せば、たとえば、シラフルオフェン（Ｈｅｏ−４９８）などが挙げられる。シラン系化合物は１種を単独で使用できまたは２種以上を併用できる。
【００５０】
幼若ホルモン様化合物の具体例を一般名で示せば、たとえば、メトプレンなどが挙げられる。幼若ホルモン様化合物は１種を単独で使用できまたは２種以上を併用できる。
【００５１】
有機塩素系化合物の具体例を一般名で示せば、たとえば、ジコホル、テトラジホン、フサライドなどが挙げられる。有機塩素系化合物は１種を単独で使用できまたは２種以上を併用できる。
【００５２】
有機金属系化合物の具体例を一般名で示せば、たとえば、酸化フェンブタスズなどが挙げられる。有機金属系化合物は１種を単独で使用できまたは２種以上を併用できる。
【００５３】
アニリド系化合物の具体例を一般名で示せば、たとえば、フルトラニル、メプロニル、ペンシクロンなどが挙げられる。アニリド系化合物は１種を単独で使用できまたは２種以上を併用できる。
【００５４】
抗生物質の具体例を一般名で示せば、たとえば、バリダマイシン、カスガマイシンなどが挙げられる。抗生物質は１種を単独で使用できまたは２種以上を併用できる。
【００５５】
これらの防虫性化合物の中には、接触毒によりその防虫効果を発揮するものが多く含まれるけれども、本発明の防虫消臭性包装体の構成では、接触毒により防虫効果を発揮することはない。したがって、これらの防虫性化合物の中でも、接触しない状態でも防虫効果を発揮し、人畜に対する毒性が低く、自然界に曝露されると分解し易いものを選択するのが好ましい。このような防虫性化合物の具体例としては、たとえば、ピレスロイド系化合物が挙げられる。さらに、ピレスロイド系化合物の中でも、上記の観点（非接触状態での防虫効果の発揮、人畜に対する毒性および自然界における分解性）から、ピレトリン、アレスリン、フタルスリン、フェノトリンなどがさらに好ましく、ピレトリンが特に好ましい。
【００５６】
防虫性化合物は１種を単独で使用できまたは２種以上を併用できる。
防虫性化合物を担持させる消臭性の多孔質無機材料としては、公知の多孔質無機物質を使用できる。その中でも、消臭効果、廃棄処理のし易さ、さらに産業廃棄物、生ごみの分解により生成する堆肥中にそのまま残存させておく場合の植物生育効果などを考慮すると、ゼオライト、シリカゲル、活性炭などが好ましく、ゼオライトがさらに好ましい。
【００５７】
その中でも、石炭灰と、アルカリ金属水酸化物およびアルカリ土類金属水酸化物から選ばれる水酸化物とを原料とし、これらの原料を水熱合成することにより得られる人工ゼオライトが特に好ましい。この人工ゼオライトを用いると、人工ゼオライトおよび防虫性化合物の両方の効果が相乗的に高まり、一層優れた消臭効果および防虫効果ならびにこれら効果の持続性のさらなる延長が達成される。人工ゼオライトの原料である石炭灰としては公知のものを使用でき、たとえば、石炭を原料とする火力発電により得られる石炭灰などが挙げられる。水酸化物としては、水酸化ナトリウム、水酸化カリウムなどのアルカリ金属水酸化物、水酸化カルシウムなどのアルカリ土類金属水酸化物などが挙げられる。これらの中でも、水酸化ナトリウムが好ましい。水熱合成の温度条件は特に制限されないけれども、水熱合成は、たとえば、８０〜１８０℃程度の温度下に行われ、１〜５時間程度で終了する。
以上のように、多孔質無機材料は天然物および人工物のいずれであってもよい。
【００５８】
多孔質無機材料は、通常、粒子形状のものが用いられる。ここで、その粒径は特に制限されず、担持させる防虫性化合物の種類および量、最終的に得られる防虫消臭性包装体の用途などの各種条件に応じて適宜選択できるけれども、好ましくは５μｍ〜２ｍｍ、さらに好ましくは１０μｍ〜２ｍｍである。また、多孔質無機材料を適当なバインダなどを用いてシート状に形成したものを用いてもよい。
【００５９】
多孔質無機材料は、１種を単独で使用できまたは２種以上を併用できる。
多孔質無機材料に防虫性化合物を担持させた防虫性消臭剤は、たとえば、無機物質に有機化合物を担持させるための公知手段に従って製造できる。具体的には、たとえば、多孔質無機材料と防虫性化合物とを混合すればよい。防虫性化合物の担持を促進させるために、混合の際に加温を行っても良い。このとき、加温温度は、防虫性化合物の種類などに応じて適宜選択すれば良い。また、防虫性化合物またはその水溶液もしくは有機溶媒溶液に、多孔質無機材料を添加し、必要に応じて加温しながら、撹拌混合すればよい。このとき、有機溶媒としては、防虫性化合物を溶解し、かつ多孔質無機材料の多孔質性を損なわないものであれば、特に制限なく使用できる。また、水溶液および有機溶媒溶液には、防虫性化合物の水または有機溶媒への溶解性または分散性を高めるために、分散剤、安定剤などの溶解助剤を添加できる。
【００６０】
前記のいずれの場合においても、混合の後、フィルタ濾過、遠心分離などの一般的な濾過手段により、防虫性化合物が担持した多孔質無機材料を混合物中から分離し、風乾または加熱乾燥すれば、防虫性消臭剤が得られる。
【００６１】
防虫性化合物の多孔質無機材料への担持量は特に制限されず、防虫性化合物の種類、多孔質無機材料の種類、形状および粒径、収納用袋体を構成する布帛の種類、得られる防虫消臭性包装体の用途などに応じて広い範囲から適宜選択できるけれども、好ましくは多孔質無機材料１００重量部に対して１〜１０００重量部、さらに好ましくは３〜２００重量部、特に好ましくは５〜５０重量部である。１重量部未満では、得られる防虫消臭性包装体の防虫性および消臭性が低下するおそれがある。１０００重量部を超えると、使用初期に必要量以上の防虫性化合物が防虫消臭性包装体から放出されるので、不経済である。
【００６２】
本発明の防虫消臭性包装体は、周縁部の一部が未接着の状態にある袋体に、未接着の部分から防虫性消臭剤を充填し、未接着部分を接着することにより得られる。ここで、防虫性消臭剤の充填量は特に制限されず、袋体の寸法および容量、防虫性消臭剤の粒径または形状、得られる防虫消臭性包装体の用途および設定される使用期間などに応じて広い範囲から適宜選択できる。
【００６３】
本発明においては、防虫性消臭剤とともに、防虫性化合物を担持させない多孔質無機材料（以後「無担持多孔質無機材料」と称す）を袋体に収容することもできる。防虫性消臭剤および無担持多孔質無機材料の使用割合は特に制限されず、防虫性消臭剤に含まれる防虫性化合物の種類ならびに多孔質無機材料の種類および粒径、無担持多孔質無機材料の種類および粒径、袋体を構成する布帛の空気透過度、得られる防虫消臭性包装体の用途などの各種条件に応じて広い範囲から適宜されるけれども、防虫性消臭剤１００重量部に対して、無担持多孔質無機材料を１００〜１０００重量部使用するのが好ましい。
【００６４】
本発明の防虫消臭性包装体は、畜産業、農業、水産業、食品加工業、食品製造業、外食産業などで発生する腐敗性有機物を含む産業廃棄物、家庭の生ゴミなどを処理する際に、用いることができる。たとえば、コンポストなどのゴミ処理器、ゴミ処理場、ゴミ貯蔵槽などにおいて、ゴミに混合して使用できる。また、下水処理場、し尿処理場などでも使用できる。さら、ハエ、蚊などの飛翔性害虫、ゴキブリ、衣料害虫に有効なので、工場内部、屋内などの適切な場所に、添着、載置、吊るしなどの適当な方法で設置して使用しても良い。
【実施例】
【００６５】
以下に実施例および試験例を挙げ、本発明を具体的に説明する。
（実施例１）
人工ゼオライト（中部電力（株）製人工ゼオライト、Ｃａ型粉末、平均粒径１２μｍ）１００ｇおよびピレスロイド系化合物（商品名：アニンセンＭＯＱ、大和化学工業（株）製）５０ｇを混合して常温乾燥し、人工ゼオライトにピレスロイド系化合物が担持した防虫性消臭剤を調製した。この防虫性消臭剤は、人工ゼオライト１ｇに対してピレスロイド系化合物０．５ｇを担持させたものであった。
【００６６】
一方、不織布（商品名：ストラマイテイＭＥＭ１０６０、出光ユニテック（株）製、空気透過度１９ｃｃ／ｃｍ2・ｓｅｃ）を用いて寸法１２ｃｍ×７ｃｍの直方体形状の袋体を作成した。この袋体に、上記で得られた防虫性消臭剤１８ｇを未接着部分から充填し、未接着部分をヒートシールし、本発明の防虫消臭性包装体を製造した。
【００６７】
（試験例１）
得られた防虫消臭性包装体を、容量１５０リットルのコンポスト容器の内側上部に両面粘着テープにより貼り付け、該コンポスト容器に生ゴミを入れて３日間放置した。
【００６８】
ブランクとして、防虫消臭性包装体を貼り付けない以外は前記と同様にして、生ゴミを入れた容量１５０リットルのコンポスト容器を放置した。
【００６９】
本発明の防虫消臭性包装体を貼り付けたコンポスト容器では、ハエ（ショウジョウバエ）の発生が全くなかった。したがって、ゴミの腐敗臭はあるものの、ハエの繁殖に伴う悪臭は感じられなかった。これに対し、防虫消臭性包装体を貼り付けないコンポスト容器では、ハエの大量発生およびそれに伴う悪臭の発生が認められた。
【００７０】
（試験例２）
不織布（ストラマイテイＭＥＭ１０６０）からなる寸法１２×７ｃｍの袋体に、防虫性消臭剤２ｇを充填した本発明の防虫消臭性包装体を、容量３リットルのテドラーバッグに、悪臭成分であるアンモニアガス（初期アンモニア濃度２４０ｐｐｍ）または硫化水素（初期硫化水素濃度７５ｐｐｍ）とともに封入し、４０分後にテドラーバッグ内の悪臭成分濃度を調べ、下記式に従って、消臭率（％）を求めた。結果を表１に示す。
消臭率（％）＝［（Ａ−Ｂ）／Ａ］×１００
式中、Ａは初期悪臭成分濃度、Ｂは４０分経過後の悪臭成分濃度濃度を示す。
【００７１】
【表１】
2006174805.tif 000002
【００７２】
表１から、本発明の防虫消臭性包装体が、使用初期から、優れた消臭効果を示すことが明らかである。
【００７３】
（実施例２）
人工ゼオライト（中部電力（株）製人工ゼオライト、Ｎａ型粉末、平均粒径１ｍｍ）１００ｇと、ピナミン（ピレスロイド系化合物、別名アレスリン、住友化学（株）製）１０ｇをトルエン１００ｃｃに溶解して得られる溶液とを混合し、人工ゼオライトにピナミンを担持させた。この担持物を濾取し、５０℃の温風で乾燥し、防虫性消臭剤を調製した。この防虫性消臭剤は、人工ゼオライト１ｇに対してピナミン０．１ｇを担持させたものであった。
【００７４】
一方、生分解型不織布（商品名：ハイポンスポンバンド＃６３００−ＩＢ、シンワ（株）製、空気透過度８１ｃｃ／ｃｍ2・ｓｅｃ）を用いて寸法１０ｃｍ×５ｃｍの直方体形状の袋体を作成した。この袋体に、上記で得られた防虫性消臭剤１０ｇを未接着部分から充填し、未接着部分をヒートシールし、本発明の防虫消臭性包装体を製造した。
【００７５】
（試験例３）
容量３０リットルの生ゴミ用蓋付きポリバケツを用いて試験を行った。蓋の内側には実施例２で得られた防虫消臭性包装体を貼り付け、さらにポリバケツに約２０リットルの生ゴミおよびショウジョウバエ２０匹を入れて放置したところ、僅か数分でショウジョウバエが飛翔するのが認められなくなり、かつ、生ゴミの腐敗臭も少なくなった。
【００７６】
さらに、使用後の防虫消臭性包装体から、ピナミンがほとんど蒸散した人工ゼオライトを取り出し、野菜の栽培土壌として用いたところ、未処理の人工ゼオライトと同等またはそれ以上の生育助長効果が確認された。このことから、本発明の包装体を用いれば、人工ゼオライトが本来有する、野菜などの植物に対する生育助長効果を損なうことなく、防虫および消臭を行うことができ、使用後は植物の栽培土壌などに再利用できるので、廃棄処理を施す必要がないことが判る。
【００７７】
（実施例３）
ピレトリン（ピレスロイド系化合物、天然除虫菊殺虫成分、大日本除虫菊（株）製）５０ｇを、タモール型アニオン性界面活性剤（商品名：デモールＮ、花王（株）製）１ｇにより水１００ｃｃに分散させ、ピレトリンの水分散液を調製した。この水分散液の全量と、シリカゲル（商品名：トヨタシリカゲルＡ型、豊田化工（株）製）３００ｇとを混合し、固形物を濾取し、１００℃の温風で乾燥し、防虫性消臭剤を調製した。
【００７８】
一方、ポリエステルタフタ織物（商品名：ポリエステル平織物、経５６デニール、緯８４デニール条、空気透過度２４．４ｃｃ／ｃｍ2・ｓｅｃ、サカイオーベックス（株）製）を用いて寸法５０ｃｍ×２０ｃｍの直方体形状の袋体を作成した。この袋体に、上記で得られた防虫性消臭剤２００ｇを未接着部分から充填し、未接着部分をヒートフィルムを介してヒートシールし、本発明の防虫消臭性包装体を製造した。
【００７９】
この防虫性消臭性包装体を、生ゴミ収集槽の壁面に貼り付けて固定したところ、ハエなどの飛翔性害虫の発生がなくなり、悪臭も軽減された。
【００８０】
（試験例４）
ポリエステルタフタ織物（経緯とも７５デニール／３６フィラメント、空気透過度５ｃｃ／ｃｍ2・ｓｅｃ、サカイオーベックス（株）製）からなる寸法５×３ｃｍの袋体に、実施例３の防虫性消臭剤２ｇを充填した本発明の防虫消臭性包装体を、容量３リットルのテドラーバッグに、悪臭成分であるアンモニアガス（初期アンモニア濃度１０００ｐｐｍ）とともに封入し、６０分後にテドラーバッグ内の悪臭成分濃度を調べ、試験例２と同様にして消臭率（％）を求めた。結果を表２に示す。
【００８１】
【表２】
2006174805.tif 000003